(57)【特許請求の範囲】
【請求項１】
床面下に埋設した基台を被覆した蓋体を落し込みにより開閉作動する床止金具に於いて、基台の上縁左右対向位置に案内傾斜を設けると共に、周縁下部に補強枠を垂設して開口部を形成する一方、底部に緩衝ゴムを貼着しコ字状に形成した受け金具に係止板とスプリング受け間にスプリングを張設し先端係合部が左右反対方向に向くよう設けた一対の係止ケースを装着して係止機構を形成し蓋体下面に装着して成り、キー作動により係合部と前記案内斜面を係脱自在とし係合部を案内斜面下に突出係合することで蓋体を開口部に嵌合するようにした床止金具。
【請求項２】
床面下に埋設した基台を被覆した蓋体を落し込みにより開閉作動する床止金具に於いて、基台の上縁左右対向位置に案内傾斜を設けると共に、周縁下部に補強枠を垂設して開口部を形成する一方、底部に緩衝ゴムを貼着しコ字状に形成した受け金具の左右対向位置に設けた挿通孔にスプリングの弾発力に抗し相互反対方向に、係合溝を有した係合部を係止ケースに嵌合し、係止ケースに設けた軸孔に、左右にアームを突設した連動杆を嵌合させ、係合溝とアームとを係着させて係止機構を形成し、蓋体下面に装着して成り、係合部と案内斜面を係脱自在とし、係合部を案内斜面下に突出させ係合することで蓋体開口部に嵌合固定した請求項１記載の床止金具。
【発明の詳細な説明】
【０００１】
【発明の属する技術分野】
本発明は、体育館の床面下に埋設し支柱党運動用器具を装着使用する床止金具に係り、特に、開口した床面を開閉蓋するため蓋体裏面に係止機構を具えキー作動で係脱自在とした床止金具に関する。
【０００２】
【従来の技術】
従来、この種の床止金具に於いて、開口した床面を開閉蓋する蓋体表面が金属製でスライド又は、落し込み機構により開閉作動するものが知られている。
【０００３】
【発明が解決しようとする課題】
従来の床止金具にあっては、使用する競技コートないの所定位置に設置された他の床止金具の蓋が使用者の激しい動きやジャンプ等で床面に振動、衝撃を生じ蓋体が跳ね上がる危険性や、ガタつきによる異常音の発生、ボールをドリブルする際床止金具上でバウンド変化等が生じる等問題点を有していた。
然して、これらを防止する為使用時に床止金具へ粘着テープ等を貼着して対応措置が取られていたが、試合前に作業時間を要する他競技終了後この粘着テープ等を剥離した場合、貼着糊が床止金具及びその周囲面に残り、これに埃等が付着して黒く変色して美観を損なう等の問題点を有していた。
【０００４】
本発明は、上記問題点に鑑みて為されたもので、床面に取付けた床止金具の表面に粘着テープ等を貼着することなく又使用者の激しい動きやジャンプ等により蓋体の跳ね上がりや異常音の発生等を防止する係止機構を蓋体裏面に具え蓋体を係脱自在とした床止金具の提供を目的としている。
【０００５】
【課題を解決するための手段】
上記目的を達成するために、本発明の床止金具に於いては、基台に上縁左右対向位置に案内斜面を設けた補強枠を取付け開口部を形成する一方、受け金具の左右対向位置に一端に係止板を他端に係合爪と熔着したスプリング受けから成る筒体の切欠部から左右反対方向に摺動するようスプリングを付勢した係止ケースを装着し前記係合爪と前記案内斜面が衝接するよう蓋体を開口部に嵌合固定した床止金具であって、前記案内斜面と前記係合部が係脱し前記蓋体が開閉作動する構成である。
【０００６】
上記目的を達成するために本発明に於いては、前記基台に前記開口部を形成すると共に、左右対向位置に形成した挿通孔の基端にスプリングを付勢し、係合爪、係合溝から成る係止ケースを嵌挿すると共に前記挿通孔と交差して設けたアーム受け溝に前記係合溝に両先端部が係合するアームとこのアームと一体的に成形した連動杆を軸着した受け金具を緩衝ゴムを装着したガイド板間に挟持して蓋体裏面に取付け後、基台の開口部に嵌合固定した床止金具であって、前記案内斜面と前記係合部が係脱し前記蓋体が開閉作動する構成である。
【０００７】
【発明の実施の形態】
本発明の実施の形態を実施例に基づき図面を参照して説明する。
図１乃至図３に示される本発明の第１実施例に於いて、床面２８下に埋設される基台１はその周縁下部に補強枠２１を垂設し開口部１２を形成すると共に、左右の係合爪１９と係脱する補強枠２１上縁左右対向位置に案内斜面２０を形成して成り、補強枠２１は基台１を補強すると共に床面２８下開口孔とのズレ防止となるよう設けてある。長孔１４を有する緩衝ゴム１６は係止板８及びスプリング受け板７間にスプリング６を付勢し、先端に係合爪１９を有する一対の係止ケース４を相互反対方向に摺動するよう装着した受け金具９に貼着されて成る。
【０００８】
前記受け金具９は長孔１４を有し前記緩衝ゴム１６に断面コ字状に形成されて成り、この受け金具９両側に前記緩衝ゴム１６は貼着され消音及び前記基台１の開口部１２に装着する際のズレを防止する一方、蓋体３を開蓋時係合爪１９、切欠部２４に付勢されたスプリング６、係止板８から成る係止機構底面が床面を損傷しないよう設けてある。
前記一対の係止ケース４は内側部を凹形状に形成して成り、この凹形状部は相互反対方向に前記受け金具９に装着された際切欠部２４を形成し、前記受け金具９及び前記緩衝ゴム１６の長孔１４と相対しキー２の挿入孔と成るものであり、この係止ケース４を装着した前記受け金具９と共に前述した係止機構を構成する。
【０００９】
消音ゴム２３を四隅に貼着した蓋体３は上面に床面と同質材を、下部に金属材を重合貼着して成り、下面に前記係止機構を透孔１３を介しネジ１５止着し基台１の開口部１２に装着して成るものであり、キー溝２５を有したキー２の挿入用長孔１４を穿設してある。
尚２６はキー２に装着した鍔である。
【００１０】
図４（ａ、ｂ）乃至図５に示される本発明の第２実施例に於いて、床面２８ａ下に埋設される補強枠２１ａ及び案内斜面２０ａを設けた基台１ａの構成は前述と同様であるが、底面に緩衝ゴム１６ａを貼着し透孔１３ａを有し断面コ字状に形成されたガイド板３０と央部に透孔３２とアーム受け溝２９さらにその左右に挿通孔１０を設けた受け金具９ａに、係合溝２７と係合爪１９ａを設けた係止ケース４ａをスプリング６ａの弾発力に抗し相互反対方向に嵌合し、透孔１３ａを介してネジ１５ａ止着して係止機構を構成してなる。一方、受け金具９ａに設けた透孔３２と嵌合する連動杆１８はキー孔１１を有し左右にアーム１７を突設形成し前記係止機構と共にスペーサー５を介し蓋体３ａに止着されて成るものでこの際、係合溝２７と左右突設のアーム１７とは係着し、係止ケース４ａの突出を防止するよう成し、蓋体３ａの裏面には消音ゴム２３ａが貼着され、表面には床面材と金属材を重合接着して成ることは第１実施例と同様の構成である。又、蓋体３ａに連動杆１８と共に止着された係止機構は基台１ａの開口部１２ａに嵌着使用され、先端に突子を有するキー２ａを連動杆１８に設けたキー孔１１に挿通しキー２ａを回転作動することで前記先端突子と連動杆１８下部切欠部（図示せず）が係脱し蓋体３ａの開閉作動が行なえる。
【００１１】
本発明は上述の構成から成り、体育館等で支柱等運動用器具を装着する際、第１実施例に於いて、キー２を蓋体３の長孔１４から挿入するとキー２先端は係止ケース４の切欠部２４に挿通し押圧することでキー溝２５が係止ケース４の突起部３１と係合し係合爪１９と基台１の案内斜面２０との係合が解除され蓋体３は開蓋し支柱等運動用器具を装着使用出来る。鍔２６はキー２を長孔１４及び切欠部２４に挿通し押圧するに際しキー溝２５と係止ケース４の突起部３１との衝接度合い調整をするため装着されて成るものであり、使用後、閉蓋する時は裏面に係止機構を有する蓋体３を基台１の開口部１２に嵌合すると案内斜面２０により先端に係合爪１９を設けスプリング６の弾撥力を介した係止ケース４が収縮し案内斜面２０通過後その下面で突出し係合し蓋体は閉蓋される。
【００１２】
又、第２実施例に於いて、上述と同様キー２ａを連動杆１８のキー孔１１から挿入し左又は右に回転すると、係合爪１９ａを有する係止ケース４ａに設けた係合溝２７と連動杆１８の両側に突設した左右アーム１７とが常時係着状態にあるためキー２ａが回転作動に伴い係合爪１９ａはスプリング６ａの弾発力に抗し係止ケース４ａの挿通孔１０に収納され案内斜面２０の下面部（基台１ａ裏面）との係着が解除され開蓋し支柱等運動用器具を装着使用出来る。使用後、閉蓋する時は裏面に係止機構を有する蓋体３ａを基台１ａの開口部１２ａに嵌合すると案内斜面２０ａにより先端に係合爪１９ａを設けスプリング６ａの弾発力を介した係止ケース４ａが収縮し案内斜面２０ａ通過後その下面で突出し係合し蓋体３ａは閉蓋される。尚、蓋体３ａ裏面の４隅に貼着した消音ゴム２３ａは競技中の床面での異常音を吸収するためのものであり、ガイド板３０に於ける緩衝ゴム１６ａの貼着は開蓋時の床面損傷を防止するため貼着されて成るものである。
【００１３】
【発明の効果】
本発明は、上記の通り構成されているので、次に記載するような効果を奏する。
【００１４】
粘着テープ等を床止金具表面に貼着しないため床面の美観を損なうことなく、又蓋体を確実に基台へ嵌着出来、蓋体の取り外しはキーを挿通係着するか又は、キーを挿通し回転作動して引き上げれば簡単に開蓋出来、支柱等器具の装着も容易且つ確実に出来る。
【００１５】
又、係合爪と案内斜面とにより蓋体が常に基台と密着すると共に消音ゴムの貼着と相俟って閉蓋後の使用時床面部の振動及び衝撃で蓋体のガタつきによる異常音の発生や跳ね上がりを防止でき安全である。
【００１６】
更に、蓋体表面に床面材を貼着することで周囲の床面と同化し違和感がなく美観を保持でき極めて効果的である。
【図面の簡単な説明】
【図１】  本発明の１実施例を示す一部切欠全体構造斜視図である。
【図２】  同例の要部断面平面図（ａ）及び側面図（ｂ）である。
【図３】同例の構造を示す展開図で説明参考図である。
【図４】  本発明の他の実施例を示す一部切欠全体構造斜視図（ａ）及び要部断面平面図（ｂ）である。
【図５】同例の構造を示す展開図で説明参考図である。
【符号の説明】
１、１ａ      基台
２、２ａ      キー
３、３ａ      蓋体
４、４ａ      係止ケース
５            スペーサー
６、６ａ      スプリング
７            スプリング受け板
８            係止板
９、９ａ      受け金具
１０          挿通孔
１１          キー孔
１２、１２ａ  開口部
１４          長孔
１５、１５ａ  ネジ
１６、１６ａ  緩衝ゴム
１７          アーム
１８          連動杆
１９、１９ａ  係合爪
２０、２０ａ  案内斜面
２１、２１ａ  補強枠
２３、２３ａ  消音ゴム
２４          切欠部
２５          キー溝
２６          鍔
２７          係合溝
２８、２８ａ  床面
２９          アーム受け溝
３０          ガイド板
３１          突起部
３２          透孔
【図１】
0004088851.tif 000002
【図２】
0004088851.tif 000003
【図３】
0004088851.tif 000004
【図４】
0004088851.tif 000005
【図５】
0004088851.tif 000006